(57)【要約】【課題】血圧推定における誤差を低減することができる血圧推定装置を提供すること。【解決手段】血圧推定装置は、光照射ユニットと、第１の脈波情報取得ユニットと、第２の脈波情報取得ユニットと、第１の血圧推定ユニットと、第２の血圧推定ユニットと、差分算出ユニットと、補正値算出ユニットと、補正ユニットとを備える。光照射ユニットは第１の波長の光及び第１の波長より短い第２の波長の光を照射する。第１の脈波情報取得ユニットは第１の脈波情報を取得する。第２の脈波情報取得ユニットは第２の脈波情報を取得する。第１の血圧推定ユニットは第１の血圧を推定する。第２の血圧推定ユニットは第２の血圧を推定する。差分算出ユニットは第１の血圧と第２の血圧との差分を算出する。補正値算出ユニットは差分に基づき補正値を算出する。補正ユニットは補正値を用いて第１の血圧を補正する。【選択図】 図１
2019136069.tif 000002
【特許請求の範囲】
【請求項１】
被験者の身体に、第１の波長の光、及び、前記第１の波長より短い第２の波長の光を照射する光照射ユニットと、
前記身体で反射した第１の波長の光を用いて第１の脈波情報を取得する第１の脈波情報取得ユニットと、
前記身体で反射した前記第２の波長の光を用いて第２の脈波情報を取得する第２の脈波情報取得ユニットと、
前記第１の脈波情報に基づき前記被験者の第１の血圧を推定する第１の血圧推定ユニットと、
前記第２の脈波情報に基づき前記被験者の第２の血圧を推定する第２の血圧推定ユニットと、
前記第１の血圧と前記第２の血圧との差分を算出する差分算出ユニットと、
前記差分に基づき補正値を算出する補正値算出ユニットと、
前記補正値を用いて前記第１の血圧を補正し、補正後血圧を算出する補正ユニットと、
を備える血圧推定装置。
【請求項２】
被験者の身体に光を照射する光照射ユニットと、
前記身体を透過した前記光を用いて第１の脈波情報を取得する第１の脈波情報取得ユニットと、
前記身体で反射した前記光を用いて第２の脈波情報を取得する第２の脈波情報取得ユニットと、
前記第１の脈波情報に基づき前記被験者の第１の血圧を推定する第１の血圧推定ユニットと、
前記第２の脈波情報に基づき前記被験者の第２の血圧を推定する第２の血圧推定ユニットと、
前記第１の血圧と前記第２の血圧との差分を算出する差分算出ユニットと、
前記差分に基づき補正値を算出する補正値算出ユニットと、
前記補正値を用いて前記第１の血圧を補正し、補正後血圧を算出する補正ユニットと、
を備える血圧推定装置。
【請求項３】
請求項１又は２に記載の血圧推定装置であって、
前記補正値算出ユニットは、予め設定された係数を前記差分に乗算して前記補正値を算出するように構成された血圧推定装置。
【請求項４】
請求項１〜３のいずれか１項に記載の血圧推定装置であって、
前記差分の絶対値が予め設定された閾値より大きいか否かを判断する差分判断ユニットと、
前記差分の絶対値が前記閾値より大きいと前記差分判断ユニットが判断した場合に報知を行う報知ユニットと、
をさらに備える血圧推定装置。
【発明の詳細な説明】
【技術分野】
【０００１】
本開示は血圧推定装置に関する。
【背景技術】
【０００２】
血圧推定装置は、被験者の指に光を照射する。血圧推定装置は、指で反射した光、又は指を透過した光を検出する。血圧推定装置は、検出した光を用いて脈波情報を取得する。血圧推定装置は、脈波情報に基づき被験者の血圧を推定する。
【０００３】
脈波情報は、末梢血管の状態を反映する情報である。環境温度が低下すると、末梢血管が収縮する。末梢血管が収縮すると、被験者の実際の血圧とは無関係に、脈波情報が変化する。その結果、血圧推定における誤差が大きくなる。
【０００４】
特許文献１には、環境温度等を計測し、計測した環境温度等を用いて血圧を補正する技術が開示されている。
【先行技術文献】
【特許文献】
【０００５】
【特許文献１】特開２０１７−２１７２５５号公報
【発明の概要】
【発明が解決しようとする課題】
【０００６】
末梢血管の収縮反応には個人差がある。そのため、計測した環境温度等に基づき、一律に補正を行っても、血圧推定における誤差を低減することは困難である。本開示は、血圧推定における誤差を低減することができる血圧推定装置を提供する。
【課題を解決するための手段】
【０００７】
本開示の一局面は、被験者の身体に、第１の波長の光、及び、前記第１の波長より短い第２の波長の光を照射する光照射ユニットと、前記身体で反射した第１の波長の光を用いて第１の脈波情報を取得する第１の脈波情報取得ユニットと、前記身体で反射した前記第２の波長の光を用いて第２の脈波情報を取得する第２の脈波情報取得ユニットと、前記第１の脈波情報に基づき前記被験者の第１の血圧を推定する第１の血圧推定ユニットと、前記第２の脈波情報に基づき前記被験者の第２の血圧を推定する第２の血圧推定ユニットと、前記第１の血圧と前記第２の血圧との差分を算出する差分算出ユニットと、前記差分に基づき補正値を算出する補正値算出ユニットと、前記補正値を用いて前記第１の血圧を補正し、補正後血圧を算出する補正ユニットと、を備える血圧推定装置である。
【０００８】
本開示の一局面である血圧推定装置は、血圧推定における誤差を低減することができる。
本開示の別の局面は、被験者の身体に光を照射する光照射ユニットと、前記身体を透過した前記光を用いて第１の脈波情報を取得する第１の脈波情報取得ユニットと、前記身体で反射した前記光を用いて第２の脈波情報を取得する第２の脈波情報取得ユニットと、前記第１の脈波情報に基づき前記被験者の第１の血圧を推定する第１の血圧推定ユニットと、前記第２の脈波情報に基づき前記被験者の第２の血圧を推定する第２の血圧推定ユニットと、前記第１の血圧と前記第２の血圧との差分を算出する差分算出ユニットと、前記差分に基づき補正値を算出する補正値算出ユニットと、前記補正値を用いて前記第１の血圧を補正し、補正後血圧を算出する補正ユニットと、を備える血圧推定装置である。
【０００９】
本開示の別の局面である血圧推定装置は、血圧推定における誤差を低減することができる。
【図面の簡単な説明】
【００１０】
【図１】血圧推定装置１の構成を表すブロック図である。
【図２】制御部３の機能的構成を表すブロック図である。
【図３】脈波センサ７の構成を表す説明図である。
【図４】血圧推定装置１が実行する校正処理を表すフローチャートである。
【図５】血圧推定装置１が実行する血圧推定処理を表すフローチャートである。
【図６】被験者の指で反射する光及び指を透過する光を表す説明図である。
【図７】第１の血圧Ｐ1及び第２の血圧Ｐ2を表す説明図である。
【図８】脈波センサ１０７の構成を表す説明図である。
【図９】別形態の脈波センサ７の構成を表す説明図である。
【発明を実施するための形態】
【００１１】
本開示の例示的な実施形態を、図面を参照しながら説明する。
＜第１実施形態＞
１．血圧推定装置１の構成
血圧推定装置１の構成を図１〜図３に基づき説明する。図１に示すように、血圧推定装置１は、制御部３と、カフ測定装置５と、脈波センサ７と、記憶装置９と、ディスプレイ１１と、を備える。
【００１２】
制御部３は、ＣＰＵ１３と、例えば、ＲＡＭ又はＲＯＭ等の半導体メモリ（以下、メモリ１５とする）と、を有するマイクロコンピュータを備える。制御部３の各機能は、ＣＰＵ１３が非遷移的実体的記録媒体に格納されたプログラムを実行することにより実現される。この例では、メモリ１５が、プログラムを格納した非遷移的実体的記録媒体に該当する。また、このプログラムが実行されることで、プログラムに対応する方法が実行される。なお、制御部３は、１つのマイクロコンピュータを備えてもよいし、複数のマイクロコンピュータを備えてもよい。
【００１３】
制御部３は、図２に示すように、第１の脈波情報取得ユニット１７と、第２の脈波情報取得ユニット１９と、第１の血圧推定ユニット２１と、第２の血圧推定ユニット２３と、差分算出ユニット２５と、補正値算出ユニット２７と、補正ユニット２９と、差分判断ユニット３１と、報知ユニット３３と、表示ユニット３５と、カフ測定ユニット３７と、校正ユニット３９と、を備える。  
制御部３に含まれる各部の機能を実現する手法はソフトウェアに限るものではなく、その一部又は全部の機能は、一つあるいは複数のハードウェアを用いて実現されてもよい。例えば、上記機能がハードウェアである電子回路によって実現される場合、その電子回路は、デジタル回路、又はアナログ回路、あるいはこれらの組合せによって実現されてもよい。
【００１４】
カフ測定装置５は、カフを用いて被験者の血圧を測定する周知の装置である。カフ測定装置５は、カフ、加圧制御機構等を備える。
脈波センサ７の構成を図３に基づき説明する。脈波センサ７は、基板４１と、第１のＬＥＤ４３と、第２のＬＥＤ４５と、第１のＰＤ４７と、第２のＰＤ４９と、を備える。第１のＬＥＤ４３及び第２のＬＥＤ４５は光照射ユニットに対応する。第１のＰＤ４７及び第２のＰＤ４９は光検出器である。
【００１５】
基板４１は板状の部材である。第１のＬＥＤ４３、第２のＬＥＤ４５、第１のＰＤ４７、及び第２のＰＤ４９は、基板４１における一方の面（以下では測定面５１とする）に取り付けられている。
【００１６】
脈波センサ７を使用するとき、測定面５１に被験者の指５３が押し当てられる。指５３は被験者の身体に対応する。第１のＬＥＤ４３は、第１の波長の光５５を指５３に照射する。第１の波長は８００〜９００ｎｍである。第１のＰＤ４７は、指５３で反射した第１の波長の光５５を受光する。第１のＰＤ４７が受光する第１の波長の光５５の強さは、被験者の脈波により、経時的に変動する。第１のＰＤ４７は、受光した第１の波長の光５５の強さを表す信号（以下では第１の生体信号とする）を制御部３に出力する。
【００１７】
第２のＬＥＤ４５は、第２の波長の光５７を指５３に照射する。第２の波長は第１の波長より短い。第２の波長は５５０ｎｍである。第２のＰＤ４９は、指５３で反射した第２の波長の光５７を受光する。第２のＰＤ４９が受光する第２の波長の光５７の強さは、被験者の脈波により、経時的に変動する。第２のＰＤ４９は、受光した第２の波長の光５７の強さを表す信号（以下では第２の生体信号とする）を制御部３に出力する。
【００１８】
記憶装置９は各種の情報を記憶することができる。ディスプレイ１１は、画像を表示することができる。
２．血圧推定装置１が実行する校正処理
血圧推定装置１が実行する校正処理を、図４に基づき説明する。この処理は、例えば、ユーザの指示に応じて実行される。図３のステップ１では、カフ測定ユニット３７が、カフ測定装置５を用いて、被験者の血圧を測定する。このとき、カフは被験者の上腕に巻かれる。血圧の測定方法は、例えば、オシロメトリック法である。本ステップ１で測定した血圧を、以下では基準血圧Ｐsとする。
【００１９】
ステップ２では、第１の脈波情報取得ユニット１７が、脈波センサ７を用いて、第１の脈波情報を取得する。第１の脈波情報は、所定の期間において連続的に取得した第１の生体信号である。第１の生体信号は、指５３で反射した第１の波長の光５５に関する信号であるから、第１の脈波情報取得ユニット１７は、指５３で反射した第１の波長の光５５を用いて第１の脈波情報を取得する。
【００２０】
ステップ３では、第２の脈波情報取得ユニット１９が、脈波センサ７を用いて、第２の脈波情報を取得する。第２の脈波情報は、所定の期間において連続的に取得した第２の生体信号である。第２の生体信号は、指５３で反射した第２の波長の光５７に関する信号であるから、第２の脈波情報取得ユニット１９は、指５３で反射した第２の波長の光５７を用いて第２の脈波情報を取得する。
【００２１】
ステップ４では、第１の血圧推定ユニット２１が、前記ステップ２で取得した第１の脈波情報を用いて、周知の方法で被験者の血圧を推定する。以下では、推定した血圧を第１の校正時血圧Ｐc1とする。
【００２２】
ステップ５では、第２の血圧推定ユニット２３が、前記ステップ３で取得した第２の脈波情報を用いて、周知の方法で被験者の血圧を推定する。以下では、推定した血圧を第２の校正時血圧Ｐc2とする。
【００２３】
ステップ６では、校正ユニット３９が、前記ステップ４で推定した第１の校正時血圧Ｐc1から、前記ステップ１で測定した基準血圧Ｐsを差し引いた値を算出する。算出した値を、以下では第１の校正値Ｖc1とする。
【００２４】
ステップ７では、校正ユニット３９が、前記ステップ５で推定した第２の校正時血圧Ｐc2から、前記ステップ１で測定した基準血圧Ｐsを差し引いた値を算出する。算出した値を、以下では第２の校正値Ｖc2とする。
【００２５】
ステップ８では、校正ユニット３９が、前記ステップ１で測定した基準血圧Ｐsと、前記ステップ６で算出した第１の校正値Ｖc1と、前記ステップ７で算出した第２の校正値Ｖc2とを記憶装置９に記憶する。
【００２６】
３．血圧推定装置１が実行する血圧推定処理
血圧推定装置１が実行する血圧推定処理を、図５に基づき説明する。この処理は、例えば、ユーザの指示に応じて実行される。図５のステップ１１では、第１の脈波情報取得ユニット１７が、脈波センサ７を用いて、第１の脈波情報を取得する。第１の脈波情報を取得する方法は、前記ステップ２と同様である。
【００２７】
ステップ１２では、第２の脈波情報取得ユニット１９が、脈波センサ７を用いて、第２の脈波情報を取得する。第２の脈波情報を取得する方法は、前記ステップ３と同様である。
ステップ１３では、第１の血圧推定ユニット２１が、前記ステップ１１で取得した第１の脈波情報を用いて、周知の方法で被験者の血圧を推定する。以下では、この血圧を第１の校正前血圧Ｐo1とする。血圧の推定方法は、前記ステップ４と同じである。
【００２８】
ステップ１４では、第２の血圧推定ユニット２３が、前記ステップ１２で取得した第２の脈波情報を用いて、周知の方法で被験者の血圧を推定する。以下では、この血圧を第２の校正前血圧Ｐo2とする。血圧の推定方法は、前記ステップ５と同じである。
【００２９】
ステップ１５では、校正ユニット３９が、第１の校正値Ｖc1を記憶装置９から読み出す。次に、校正ユニット３９は、前記ステップ１３で推定した第１の校正前血圧Ｐo1から、読み出した第１の校正値Ｖc1を差し引いて、第１の血圧Ｐ1を推定する。第１の血圧Ｐ1は、第１の脈波情報に基づき推定された値である。
【００３０】
ステップ１６では、校正ユニット３９が、第２の校正値Ｖc2を記憶装置９から読み出す。次に、校正ユニット３９は、前記ステップ１４で推定した第２の校正前血圧Ｐo2から、読み出した第２の校正値Ｖc2を差し引いて、第２の血圧Ｐ2を推定する。第２の血圧Ｐ2は、第２の脈波情報に基づき推定された値である。
【００３１】
ステップ１７では、差分算出ユニット２５が、前記ステップ１５で推定した第１の血圧Ｐ1から、前記ステップ１６で推定した第２の血圧Ｐ2を差し引くことで、差分ΔＰを算出する。
ステップ１８では、補正値算出ユニット２７が、前記ステップ１７で算出した差分ΔＰに基づき、補正値を算出する。補正値は、差分ΔＰと係数αとを乗算した値である。係数αは予めメモリ１５に記憶されている固定値である。係数αの大きさは、後述する補正後血圧Ｐrと、カフ測定装置５を用いて測定した血圧との差がなるべく小さくなるように調整されている。
【００３２】
ステップ１９では、補正ユニット２９が、前記ステップ１８で算出した補正値を用いて第１の血圧Ｐ1を補正して、補正後血圧Ｐrを算出する。具体的には、補正ユニット２９は、第１の血圧Ｐ1から、前記ステップ１８で算出した補正値を差し引いて、補正後血圧Ｐrを算出する。
【００３３】
ステップ２０では、前記ステップ１７で算出した差分ΔＰの絶対値が、予め設定された閾値より大きいか否かを差分判断ユニット３１が判断する。差分ΔＰの絶対値が閾値より大きいと差分判断ユニット３１が判断した場合、本処理はステップ２１に進む。差分ΔＰの絶対値が閾値以下であると差分判断ユニット３１が判断した場合、本処理はステップ２２に進む。
【００３４】
ステップ２１では、報知ユニット３３がディスプレイ１１に表示を行う。ディスプレイ１１の表示は報知に対応する。表示内容は、例えば、ステップ２２で表示する補正後血圧Ｐrの信頼性が通常より低いという内容である。
【００３５】
ステップ２２では、表示ユニット３５が、前記ステップ１９で算出した補正後血圧Ｐrをディスプレイ１１に表示する。
４．血圧推定装置１が奏する効果
（１Ａ）血圧推定装置１は、血圧推定における誤差を低減することができる。血圧推定装置１は、特に、環境温度の変化に起因する誤差を低減することができる。この理由を図６及び図７に基づき説明する。
【００３６】
図６に示すように、第１の波長の光５５及び第２の波長の光５７は、それぞれ、指５３で反射する。第１の波長は第２の波長より長いので、第１の波長の光５５は、指５３における深部で反射する。第２の波長の光５７は、指５３における表層部で反射する。
【００３７】
第１の脈波情報は、指５３の深部にある血管５９の状態を反映する。第２の脈波情報は、指５３の表層側にある末梢血管６１の状態を反映する。
末梢血管６１は、血管５９に比べて、環境温度の影響を受け易い。すなわち、末梢血管６１は、血管５９に比べて、環境温度が低ければ顕著に収縮し、環境温度が高ければ顕著に拡張する。
【００３８】
よって、第２の脈波情報は、第１の脈波情報に比べて、環境温度の影響を受け易い。また、第２の脈波情報に基づき推測される第２の校正前血圧Ｐo2は、第１の脈波情報に基づき推測される第１の校正前血圧Ｐo1に比べて、環境温度の影響を受け易い。また、第２の脈波情報に基づき推測される第２の校正時血圧Ｐc2は、第１の脈波情報に基づき推測される第１の校正時血圧Ｐc1に比べて、環境温度の影響を受け易い。
【００３９】
前記ステップ１５で推定した第１の血圧Ｐ1と、前記ステップ１６で推定した第２の血圧Ｐ2とを図７に示す。第１の血圧Ｐ1は、基準血圧Ｐsと、第１の血圧変化量（Ｐo1−Ｐc1）とを加算した値である。第１の血圧変化量（Ｐo1−Ｐc1）は、第１の校正前血圧Ｐo1から第１の校正時血圧Ｐc1を差し引いた値である。第１の血圧変化量（Ｐo1−Ｐc1）は、環境温度に起因する第１の誤差Ｐx1を含む。
【００４０】
第２の血圧Ｐ2は、基準血圧Ｐsと、第２の血圧変化量（Ｐo2−Ｐc2）とを加算した値である。第２の血圧変化量（Ｐo2−Ｐc2）は、第２の校正前血圧Ｐo2から第２の校正時血圧Ｐc2を差し引いた値である。第２の血圧変化量（Ｐo2−Ｐc2）は、環境温度に起因する第２の誤差Ｐx2を含む。
【００４１】
上述したように、第２の校正前血圧Ｐo2は、第１の校正前血圧Ｐo1に比べて、環境温度の影響を受け易く、第２の校正時血圧Ｐc2は、第１の校正時血圧Ｐc1に比べて、環境温度の影響を受け易い。そのため、第２の誤差Ｐx2は、第１の誤差Ｐx1より大きい。前記ステップ１７で算出した差分ΔＰは、第２の誤差Ｐx2から第１の誤差Ｐx1を差し引いた値である。
【００４２】
差分ΔＰの大きさと、第１の誤差Ｐx1の大きさとには相関関係がある。差分ΔＰと係数αとを乗算した補正値が第１の誤差Ｐx1と近くなるように係数αを設定しておき、前記ステップ１９のように、第１の血圧Ｐ1から補正値を差し引けば、第１の誤差Ｐx1が抑制された補正後血圧Ｐrを算出することができる。よって、血圧推定装置１は、環境温度の変化に起因する誤差を低減することができる。
【００４３】
また、血圧推定装置１は、血圧を推定しようとする被験者から差分ΔＰを取得し、その差分ΔＰを第１の血圧Ｐ1の補正に使用する。そのため、差分ΔＰの大きさに個人差がある場合でも、その個人差の影響を抑制できる。
【００４４】
（１Ｂ）血圧推定装置１は、予め設定された係数αを差分ΔＰに乗算して補正値を算出する。そのため、補正値を容易且つ正確に算出することができる。
（１Ｃ）血圧推定装置１は、差分ΔＰの絶対値が予め設定された閾値より大きいか否かを判断する。血圧推定装置１は、差分ΔＰの絶対値が閾値より大きいと判断した場合に報知を行う。そのため、ユーザは、差分ΔＰの絶対値が大きいことを知ることができる。差分ΔＰの絶対値が大きい場合、血圧の推定値の信頼性が低い。そのため、ユーザは、報知を見ることで、血圧の推定値の信頼性が低いことを知ることができる。
＜第２実施形態＞
１．第１実施形態との相違点
第２実施形態の血圧推定装置１の構成は、基本的には、第１実施形態の血圧推定装置１と同様であるため、相違点について以下に説明する。なお、第１実施形態と同じ符号は、同一の構成を示すものであって、先行する説明を参照する。
【００４５】
前述した第１実施形態では、血圧推定装置１は、図３に示す脈波センサ７を備える。これに対し、第２実施形態では、血圧推定装置１は、図８に示す脈波センサ１０７を備える。脈波センサ１０７は、基板６３、基板６５、ＬＥＤ６７、第１のＰＤ６９、及び第２のＰＤ７１を備える。ＬＥＤ６７は光照射ユニットに対応する。第１のＰＤ６９及び第２のＰＤ７１は光検出器である。
【００４６】
基板６３及び基板６５はそれぞれ板状部材である。基板６３と基板６５とは、間隔をおいて対向している。ＬＥＤ６７及び第２のＰＤ７１は、基板６３のうち、基板６５に対向する面（以下では対向面７３とする）に取り付けられている。第１のＰＤ６９は、基板６５のうち、基板６３に対向する面（以下では対向面７５とする）に取り付けられている。
【００４７】
脈波センサ１０７を使用するとき、基板６３と基板６５との間に指５３が差し込まれる。ＬＥＤ６７は、光７７を指５３に照射する。光７７の波長は８００〜９００ｎｍである。光７７の一部は指５３を透過する。指５３を透過した光を透過光７９とする。第１のＰＤ６９は透過光７９を受光する。第１のＰＤ６９が受光する透過光７９の強さは、被験者の脈波により、経時的に変動する。第１のＰＤ６９は、受光した透過光７９の強さを表す信号（以下では第１の生体信号とする）を制御部３に出力する。
【００４８】
光７７の一部は指５３で反射する。指５３で反射した光を反射光８１とする。第２のＰＤ７１は反射光８１を受光する。第２のＰＤ７１が受光する反射光８１の強さは、被験者の脈波により、経時的に変動する。第２のＰＤ７１は、受光した反射光８１の強さを表す信号（以下では第２の生体信号とする）を制御部３に出力する。
【００４９】
第２実施形態の血圧推定装置１が実行する処理は、基本的には、第１実施形態の血圧推定装置１が実行する処理と同様であるため、相違点について以下に説明する。
第２実施形態では、前記ステップ２及び前記ステップ１１において、第１の脈波情報取得ユニット１７は、脈波センサ１０７を用いて第１の脈波情報を取得する。第１の脈波情報は、所定の期間において連続的に取得した第１の生体信号である。第１の生体信号は、透過光７９に関する信号であるから、第１の脈波情報取得ユニット１７は、透過光７９を用いて第１の脈波情報を取得する。
【００５０】
第２実施形態では、前記ステップ３及び前記ステップ１２において、第２の脈波情報取得ユニット１９は、脈波センサ１０７を用いて第２の脈波情報を取得する。第２の脈波情報は、所定の期間において連続的に取得した第２の生体信号である。第２の生体信号は、反射光８１に関する信号であるから、第２の脈波情報取得ユニット１９は、反射光８１を用いて第２の脈波情報を取得する。
【００５１】
２．血圧推定装置１が奏する効果
以上詳述した第２実施形態によれば、前述した第１実施形態の効果を奏する。ここで、第２実施形態でも、効果（１Ａ）を奏する理由を説明する。第２実施形態において、第１の脈波情報は、指５３を透過した透過光７９を用いて取得された情報である。また、第２の脈波情報は、指５３で反射した反射光８１を用いて取得された情報である。
【００５２】
図６に示すように、透過光７９は、指５３の深部にある血管５９の状態を反映する。反射光８１は、指５３の表層側にある末梢血管６１の状態を反映する。
そのため、第２実施形態においても、第１実施形態と同様に、第１の脈波情報は、指５３の深部にある血管５９の状態を反映し、環境温度の影響を受け難い。また、第２実施形態においても、第１実施形態と同様に、第２の脈波情報は、指５３の表層側にある末梢血管６１の状態を反映し、環境温度の影響を受け易い。
【００５３】
よって、第２実施形態における第１の脈波情報及び第２の脈波情報は、第１実施形態における第１の脈波情報及び第２の脈波情報と同様の特性を有するから、第２実施形態の血圧推定装置１も、効果（１Ａ）を奏することができる。
＜他の実施形態＞
以上、本開示の実施形態について説明したが、本開示は上述の実施形態に限定されることなく、種々変形して実施することができる。
【００５４】
（１）第１実施形態において、脈波センサ７は、図９に示す構成を有していてもよい。この脈波センサ７は、単一のＰＤ８３を備える。ＰＤ８３は光検出器である。ＰＤ８３は、第１の波長の光５５を受光し、第１の生体信号を出力することができる。また、ＰＤ８３は、第２の波長の光７７を受光し、第２の生体信号を出力することができる。
【００５５】
脈波センサ７は、第１の波長の光５５を照射する時間帯と、第２の波長の光５７を照射する時間帯とを分けることができる。そのことにより、ＰＤ８３が出力する第１の生体信号と第２の生体信号とが混ざってしまうことを抑制できる。
【００５６】
（２）第１実施形態において、脈波センサ７は、１つの広帯域光源と、複数の光学フィルターと、複数の光学フィルターのうちの１つを選択して使用する選択ユニットと、を備えていてもよい。複数の光学フィルターは、第１の波長の光５５を選択的に透過させる第１の光学フィルターと、第２の波長の光５７を選択的に透過させる第２の光学フィルターとを含む。選択ユニットが第１の光学フィルターを選択することにより、脈波センサ７は、第１の波長の光５５を指５３に照射することができる。また、選択ユニットが第２の光学フィルターを選択することにより、脈波センサ７は、第２の波長の光５７を指５３に照射することができる。
【００５７】
（３）第１実施形態及び第２実施形態において、血圧推定装置１は、第１の生体信号の振幅と、第２の生体信号の振幅との違いに基づき、環境温度の変化を推定してもよい。
また、血圧推定装置１は、第１の生体信号の振幅と、第２の生体信号の振幅とを増幅によって揃えたときの、第１の生体信号の増幅率と、第２の生体信号の増幅率との違いに基づき、環境温度の変化を推定してもよい。
【００５８】
血圧推定装置１は、推定した環境温度の変化量が予め設定された閾値を超える場合、ユーザに報知を行うことができる。
（４）第１実施形態及び第２実施形態において、脈波センサ７、１０７は、被験者の身体のうち、指５３以外の部分から第１の脈波情報及び第２の脈波情報を取得してもよい。
【００５９】
（５）上記実施形態における１つの構成要素が有する複数の機能を、複数の構成要素によって実現したり、１つの構成要素が有する１つの機能を、複数の構成要素によって実現したりしてもよい。また、複数の構成要素が有する複数の機能を、１つの構成要素によって実現したり、複数の構成要素によって実現される１つの機能を、１つの構成要素によって実現したりしてもよい。また、上記実施形態の構成の一部を省略してもよい。また、上記実施形態の構成の少なくとも一部を、他の上記実施形態の構成に対して付加又は置換してもよい。なお、特許請求の範囲に記載した文言から特定される技術思想に含まれるあらゆる態様が本開示の実施形態である。
【００６０】
（６）上述した血圧推定装置の他、当該血圧推定装置を構成要素とするシステム、当該血圧推定装置の制御部３としてコンピュータを機能させるためのプログラム、このプログラムを記録した半導体メモリ等の非遷移的実態的記録媒体、血圧推定方法等、種々の形態で本開示を実現することもできる。
【符号の説明】
【００６１】
１…血圧推定装置、３…制御部、５…カフ測定装置、７、１０７…脈波センサ、９…記憶装置、１１…ディスプレイ、１３…ＣＰＵ、１５…メモリ、１７…第１の脈波情報取得ユニット、１９…第２の脈波情報取得ユニット、２１…第１の血圧推定ユニット、２３…第２の血圧推定ユニット、２５…差分算出ユニット、２７…補正値算出ユニット、２９…補正ユニット、３１…差分判断ユニット、３３…報知ユニット、３５…表示ユニット、３７…カフ測定ユニット、３９…校正ユニット、４１…基板、４３…第１のＬＥＤ、４５…第２のＬＥＤ、４７、６９…第１のＰＤ、４９、７１…第２のＰＤ、５１…測定面、５３…指、５５…第１の波長の光、５７…第２の波長の光、５９…血管、６１…末梢血管、６３、６５…基板、６７…ＬＥＤ、７３、７５…対向面、７７…光、７９…透過光、８１…反射光
【図１】
2019136069.tif 000003
【図２】
2019136069.tif 000004
【図３】
2019136069.tif 000005
【図４】
2019136069.tif 000006
【図５】
2019136069.tif 000007
【図６】
2019136069.tif 000008
【図７】
2019136069.tif 000009
【図８】
2019136069.tif 000010
【図９】
2019136069.tif 000011